(57)【要約】【課題】コネクタと電線との接続部分における曲げ外側端付近の電線で生ずる断線を低減し、コネクタと電線とを９０度に曲げてフォーミングすることが可能なコネクタ付き多心ケーブルを提供する。【解決手段】多心ケーブル１は、複数本の電線の両端末部分を所定のピッチで配列してフラット状にし、その両端末部分にコネクタ２を接続してなる。その複数本の電線は、中間部分を結束帯４で１つに束ねられ、少なくとも一方の端末部分で曲げられている。曲げられた結果として曲率半径が大きい側の端に配列された電線（又はその電線から所定本数離れた電線までの電線群３ｃ）が、コネクタ２の長手方向に対して直角に屈曲される長さで成形されている。【選択図】図１
2007227048.tif 000002
【特許請求の範囲】
【請求項１】
複数本の電線の両端末部分を所定のピッチで配列してフラット状にし、前記両端末部分に電気コネクタを接続した多心ケーブルであって、前記複数本の電線は、中間部分を１つに束ね、少なくとも一方の端末部分で曲げられた結果として曲率半径が大きい側の端に配列された電線が、前記電気コネクタの長手方向に対して直角に屈曲される長さで成形されていることを特徴とする多心ケーブル。
【請求項２】
前記複数本の電線は、端末部分で曲げられた結果、該端末部分に接続された電気コネクタの長手方向に対して、前記中間部分が平行に束ねられていることを特徴とする請求項１に記載の多心ケーブル。
【請求項３】
複数本の電線の両端末部分を所定のピッチで配列してフラット状にし、前記両端末部分に電気コネクタを接続した多心ケーブルの製造方法であって、前記電気コネクタを収納するコネクタ収納溝と、該コネクタ収納溝と連なり前記電気コネクタとの接続部の電線全てを収納して前記電気コネクタの長手方向に平行に延出させる電線収納溝とを備えた治具を用い、前記複数本の電線を少なくとも一方の端末部分で、前記コネクタ収納溝に前記電気コネクタを収納し前記電線収納溝に前記複数本の電線を収納して曲げて延出し、曲げられた結果として、曲率半径が大きい側の端に配列された少なくとも１本の電線を、前記電線収納溝の底面に設けた迂回用凸部の外を巻いて成形する成形工程と、前記複数本の電線の中間部分を１つに束ねる結束工程とを含むことを特徴とする多心ケーブルの製造方法。
【発明の詳細な説明】
【技術分野】
【０００１】
本発明は、複数本の絶縁電線や同軸電線からなる多心ケーブル及びその製造方法に関し、より詳細には、中間部では束ねられ、両端部では複数本の電線がフラット状にされて電気コネクタが接続された多心ケーブル及びその製造方法に関する。
【背景技術】
【０００２】
近年、ノートパソコン、携帯電話、小型ビデオカメラ等の普及で、これら情報通信機器の小型・軽量化の他に高速・高画質化が求められている。これに対応するために、機器本体と液晶表示部の接続や機器内の配線等に、極めて細い絶縁電線や同軸電線（シールド電線という場合もある）が用いられ、また、配線の容易性から、複数本の電線を集合一体化させたハーネス形状の配線部材が用いられている。電気接続は、予めケーブル端部に所定の配列で接続した電気コネクタ（以下、単にコネクタという）で行なわれ、このためのコネクタには、例えば、プリント回路等の接続に用いるような、多数のコンタクトを列状に配列したエッジ形状のコネクタが用いられる。
【０００３】
コネクタ付き多心ケーブルは、一般に、両端に電気コネクタを接続するために、複数本の電線を所定ピッチで平行一列に並べて一体化したフラットケーブル、或いは平形ケーブルと呼ばれている形態で用いられることが多い。しかし、このコネクタ付きケーブルは、機器内の壁面に沿わせた配線には適しているが、例えば、携帯電話、ノートパソコン、ビデオカメラ等の本体部と液晶表示部間の接続のような回動部分を通しての配線を行なう場合は、回動部分における捻回特性が悪く、ヒンジ部の形状が大きくなってしまう。また、フラットケーブルに加わるストレスが大きく断線しやすいという問題がある。
【０００４】
このため、開閉ヒンジ等の回動部分を介しての配線では、電気コネクタが接続される両端部では複数本の電線はフラット状にされているが、中間部分で電線を１つに束ねた状態にしたコネクタ付き多心ケーブルが用いられている。複数本の電線を束ねる形態としては、多心ケーブルの製造段階で両端部のみをフラット化し、中間部分は後の結束のためにばらけた状態としておいたり、或いは、フラット化された状態のまま円筒状に丸めるようにして束ねられている。複数本の電線を束ねるのに、テープ状の束ね部材を用いたり、また、電線に同軸電線やシールド電線が用いられる場合、多心ケーブルの中間部で接地用の接地接続部材を設けることもある。
【０００５】
電線の中間部分を束ねるに際して、電線の長さを同一にすると、配列位置によって弛みを生じる線と張力を受ける線が生じる。そこで、両側に配列される線を中央側の線より長くするか、或いは、両側のコネクタを同軸電線の配列方向に沿ってＬ字状に回動させた形状とするかの対策がなされている。
【０００６】
前者の対策例として、束ねてもコネクタ部で各心線が引っ張られないように、多心ケーブルの各電線を非等長に規定する技術も開示されている（例えば、特許文献１を参照）。特許文献１に記載の多心ケーブルは、複数本の電線の両端末部分を所定のピッチで配列してフラット状にし、中間部分を１つに束ねた多心ケーブルであって、両端末部分における電線配列方向におけるケーブル幅をＤとし、両端末部分間の距離をＥとし、両端末部分間に配列される複数本の電線が、最小長さＬｓから最大長さＬｍになるように順次長さを異ならせたとき、Ｄ／Ｅ＞１／６であり、（Ｌｍ−Ｌｓ）＞｛（Ｄ２＋Ｅ２）１／２−Ｅ｝としている。
【０００７】
一方、携帯電話等の機器は、その基盤の作り方が優先されてコネクタの位置が決まることが一般的である。従って、基盤と他の部品（基盤を含む）とを繋ぐためのコネクタ付き多心ケーブルは、基盤や部品上のコネクタの配置に合わせて接続できるようにフォーミングしなければならない。ここで、機器内での多心ケーブルの取り回しにより、コネクタ部分で各電線を９０度（Ｌ字状に）曲げるフォーミングも必要となってくる。
【０００８】
そのため、従来、図４で図示したように、最終的に多心ケーブルの中央部分の長さ方向（すなわち結束帯４の長手方向）と多心ケーブルのコネクタ２との接続部分の長さ方向（すなわちコネクタ２の短手方向）とを、ほぼ９０度になるようにフォーミングしている。
【特許文献１】特開２００５−２３５６９０号公報
【発明の開示】
【発明が解決しようとする課題】
【０００９】
しかしながら、従来技術によりコネクタ付多心ケーブルをコネクタ部分で９０度曲げるフォーミングを行った場合、各電線（説明上、電線群３ａ〜３ｃに分けて符号を付す）をコネクタ２との接続部分で９０度曲げようとしても、図４で示したように、曲げの外側の電線群３ｃがそのまま斜めに結束帯４の方向へと向かうようなフォーミングしかできない。
【００１０】
このような従来のコネクタ付き多心ケーブルは、特許文献１をはじめとする従来技術によって各電線の長さ調整をしたとしても、列の曲げ外側の端の電線群３ｃが断線しやすい。
【００１１】
本発明は、上述した実情に鑑みてなされたものであり、その目的は、コネクタと電線とを９０度に曲げてフォーミングすることが可能なコネクタ付き多心ケーブルを製造する方法、及びこの多心ケーブルを提供し、コネクタと電線との接続部分における曲げ外側端付近の電線で生ずる断線を低減することにある。
【課題を解決するための手段】
【００１２】
本発明による多心ケーブルは、複数本の電線の両端末部分を所定のピッチで配列してフラット状にし、その両端末部分に電気コネクタを接続した多心ケーブルであって、その複数本の電線は、中間部分を１つに束ね、少なくとも一方の端末部分で曲げられた結果として曲率半径が大きい側の端に配列された電線が、電気コネクタの長手方向に対して直角に屈曲される長さで成形されていることを特徴としている。
【００１３】
また、本発明による多心ケーブルの製造方法は、複数本の電線の両端末部分を所定のピッチで配列してフラット状にし、その両端末部分に電気コネクタを接続した多心ケーブルの製造方法であって、電気コネクタを収納するコネクタ収納溝と、そのコネクタ収納溝と連なり電気コネクタとの接続部の電線全てを収納して電気コネクタの長手方向に平行に延出させる電線収納溝とを備えた治具を用い、その複数本の電線を少なくとも一方の端末部分で、コネクタ収納溝に電気コネクタを収納し電線収納溝にその複数本の電線を収納して曲げて延出し、曲げられた結果として、曲率半径が大きい側の端に配列された少なくとも１本の電線を、電線収納溝の底面に設けた迂回用凸部の外を巻いて成形する成形工程と、その複数本の電線の中間部分を１つに束ねる結束工程とを含むことを特徴としている。
【発明の効果】
【００１４】
本発明によれば、コネクタ付き多心ケーブルにおいて、コネクタと電線との接続部分における曲げ外側端付近の電線で生ずる断線を低減し、コネクタと電線とを９０度に曲げてフォーミングすることが可能となる。
【発明を実施するための最良の形態】
【００１５】
図１は、本発明に係るコネクタ付き多心ケーブルの一例を説明するための図で、図２は、図１のコネクタ付き多心ケーブルの全体像を示す図である。
【００１６】
本発明のコネクタ付き多心ケーブル１は、複数本の電線の両端末部分を所定のピッチで配列してフラット状にし、その両端末部分に電気コネクタ（コネクタ）２を接続したケーブルである。ここで、電線としては同軸電線や極細の絶縁電線などが適用できる。多心ケーブル１は、さらに、その中間部分がテープ等の結束帯４で１つに束ねられているものとする。
【００１７】
多心ケーブル１に用いられる複数本の電線は、少なくとも一方の端末部分で、図１に示すように配列方向に対してほぼ直角に曲げられている。ここで、複数本の電線は、端末部分で曲げられた結果、その端末部分に接続されたコネクタ２の長手方向に対して、中間部分（結束帯４付近）がほぼ平行に束ねられている。すなわち、多心ケーブル１は、少なくとも一方の端末部分でＬ字状に曲げられている。
【００１８】
本発明では、曲げられた結果として曲率半径が大きい側（曲げ外側）の端に配列された電線が、コネクタ２の長手方向に対して垂直に成形されている。以下、図示したように、その電線から所定本数離れた電線までの電線群（以下、外側電線群という）３ｃが、コネクタ２の長手方向に対して垂直に成形されている例を挙げる。外側電線群３ｃは、３本邸度にするとよい。
【００１９】
このように、本発明によれば、コネクタ２と電線とを９０度に曲げてフォーミングする際、並びにフォーミング後も、コネクタ２と電線との接続部分において曲げ外側端付近の電線（外側電線群３ｃ）がコネクタ長手方向に直角に成形することで、外側電線群３ｃのコネクタ根元で生ずる断線を低減することもできる。
【００２０】
外側電線群３ｃは、上述の曲げ外側部分での直角な成形を可能とするために、他の電線（後述の電線群３ａ，３ｂ）に対して、直角に屈曲される分の長さ、すなわち垂直に成形する余裕を作るために必要な長さを、確保してなる。
【００２１】
図２（Ａ）で例示する多心ケーブル１は、コネクタ２側の端末部分がＬ字状に曲げられ、コネクタ５側の端末部分が真っ直ぐのまま接続されている。コネクタ５との接続部分では曲げられていないため、特に曲げに対して内側、中央、及び外側と区別されることはない。
【００２２】
図２（Ｂ）で例示する多心ケーブル１は、コネクタ２側及びコネクタ５側の双方の端末部分が互いに逆方向にＬ字状に曲げられている。コネクタ２に対する内側電線群３ａ、中央電線群３ｂ、及び外側電線群３ｃは、コネクタ５との接続部分では逆方向に曲げられているため、コネクタ５付近ではそれぞれ外側電線群３ａ、中央電線群３ｂ、及び内側電線群３ｃとなる。
【００２３】
図２（Ｃ）で例示する多心ケーブル１は、コネクタ２側及びコネクタ５側の双方の端末部分が互いに同じ方向にＬ字状に曲げられている。コネクタ２に対する内側電線群３ａ、中央電線群３ｂ、及び外側電線群３ｃは、コネクタ５との接続部分でも同方向に曲げられているため、コネクタ５付近でもそれぞれ内側電線群３ａ、中央電線群３ｂ、及び外側電線群３ｃとなる。
【００２４】
ここで、上述した外側電線群３ｃや内側電線群３ａに対して確保した垂直に形成する分の長さとは、図２（Ａ）〜（Ｃ）に示すいずれの多心ケーブル１であっても、コネクタ２やコネクタ５で図４のように曲げるためにもたせた余分の長さ（例えば特許文献１の発明で規定した長さ）にさらに追加される長さを指す。
【００２５】
図３は、図１のコネクタ付き多心ケーブルを製造する際のフォーミングの様子を示す図である。図１で説明した多心ケーブルを製造する際には、全電線を曲げる対象となる端末部分で配列方向に対して直角に曲げ、曲げられた結果として外側電線群３ｃが、コネクタの長手方向に対して垂直になるように成形する成形工程と、複数本の電線の中間部分を結束帯４で１つに束ねる結束工程とを含む。なお、この成形工程においても外側電線群３ｃのうち少なくとも１本がコネクタ２の長手方向に対して垂直になればよい。
【００２６】
成形工程では、図３で例示するような治具１０を用いることで、図１で示した形状に各電線をフォーミングできるようになる。治具１０は、コネクタ２を収納するコネクタ収納溝１１ａと、コネクタ収納溝１１ａと連なった溝であってコネクタ２との接続部から連なった全電線をコネクタ２の長手方向に平行に延出させるように収納する電線収納溝とを有する。
【００２７】
この電線収納溝は、コネクタ収納溝１１ａと連なった接続部収納溝１１ｂと、接続部収納溝１１ｂと連なった延出溝１１ｃとでなる。接続部収納溝１１ｂは、接続部近くの全電線を収納するだけでなく、外側電線群３ｃがコネクタ長手方向に対して垂直にフォーミング可能とするために、外側電線群３ｃを他の電線群３ａ，３ｂと分けて迂回させる迂回用凸部１５を底面に備えるものとする。迂回用凸部１５は、底面の成型時に設けてもよいし、底面にピン等を立てることで設けてもよい。なお、外側電線群３ｃとみなした本数だけが分割されてフォーミングされるよう迂回用凸部１５の位置を変えればよい。
【００２８】
接続部収納溝１１ｂは、また、迂回用側壁１２を備えるとよい。迂回用側壁１２は、接続部の延出方向側の端に位置する電線（電線群３ａの一番端の電線）をコネクタ２の長手方向に対して垂直に延ばしたときにその電線に沿うように形成された側壁である。
【００２９】
延出溝１１ｃは、迂回用側壁１２に垂直な壁であって延出方向へ連なる延出用側壁１３と、それに対向する位置の延出用側壁１４とを有する。なお、接続部収納溝１１ｂは、迂回用側壁１２以外にも、コネクタ２と電線群３ａ〜３ｃとの接続部分で生じている段差を考慮してコネクタ収納溝１１ａと段差を設けるとよい。
【００３０】
このような治具１０を用い、成形工程では、まず、コネクタ収納溝１１ａにコネクタ２を収納する。その後、接続部収納溝１１ｂに全電線を収納して、外側電線群３ｃのみを迂回用凸部１５を乗り越えさせるように（すなわち迂回用凸部１５の外を巻くように）配列方向に９０度曲げて迂回させ、且つ全電線（特に内側電線群３ａ）を迂回用側壁１２を乗り越えさせるように配列方向に曲げ、全電線を延出溝１１ｃに沿って収納する。
【００３１】
このうち、外側電線群３ｃの断線対策は、外側の電線群３ｃがコネクタ２に取り付けられる箇所からコネクタ２に対して垂直に延びた線上にピン等の迂回用凸部１５を配置し、外側の電線群３ｃをそのピンの外側を通して曲げて他の電線と束ねる、というフォーミングを採用するだけでよい。この断線対策を施して製造された多心ケーブル１は、ケーブルの長さ方向に対してほぼ平行にコネクタ２が取り付けられ、且つコネクタ２の近くで最も長さが長い電線（外側の電線であってピンを巻いて束ねられる電線）がコネクタ２に対してほぼ９０度で取り付けられている。これに対して、図４で示した従来のコネクタ付き多心ケーブルでは外側の電線がコネクタ２に取り付けられる角度が９０度になっていない。
【００３２】
以上、このような成形工程により、全電線の長手方向の形状を図１で例示したような形状に成形することが可能となる。また、結束工程では、治具１０から延出した全電線を結束帯４で１つに束ねる。この結束工程は、結束帯４に対して全電線が長さ方向に動くように結束帯４を緩めておくことで、成形工程の前や最中であっても容易に遂行することができる。
【００３３】
実際には、図２（Ａ）〜（Ｃ）で示した多心ケーブル１を製造することとなるが、そのために、まず各電線の長さ調整を行っておくとよい。この長さ調整では、例えば、経路に基づき長さを算出し、その算出した長さに各電線を切断し、コネクタ２，５に接続するとよい。勿論、コネクタ２へ各電線を接続してから、算出した長さに各電線を切断してもよい。また、コネクタ２とコネクタ５とで電線の接続を取り違えないように電線の整列治具を用いて接続を行えばよい。
【図面の簡単な説明】
【００３４】
【図１】本発明に係るコネクタ付き多心ケーブルの一例を説明するための図である。
【図２】図１のコネクタ付き多心ケーブルの全体像を示す図である。
【図３】図１のコネクタ付き多心ケーブルを製造する際のフォーミングの様子を示す図である。
【図４】従来技術によるコネクタ付き多心ケーブルを示す図である。
【符号の説明】
【００３５】
１…コネクタ付き多心ケーブル、２，５…コネクタ、３ａ…内側電線群、３ｂ…中央電線群、３ｃ…外側電線群、４…結束帯、１０…治具、１１ａ…コネクタ収納溝、１１ｂ…接続部収納溝、１１ｃ…延出溝、１２…迂回用側壁、１３，１４…延出用側壁、１５…迂回用凸部。
【図１】
2007227048.tif 000003
【図２】
2007227048.tif 000004
【図３】
2007227048.tif 000005
【図４】
2007227048.tif 000006